(57)【要約】      （修正有）【課題】マスクを着用した場合に、耳掛け紐が耳の裏側付け根部付近に食い込むことを防止する調整具を提供する。【解決手段】２本の紐１ａ、１ｂの先端には耳掛け紐９ａ、９ｂに連結する連結具２ａ、２ｂを設け、そして両紐に沿ってスライド移動するスライダー３を取付け、スライダー３は所定の位置で停止するように該スライダー３と紐１ａ、１ｂの間には適度な大きさの摩擦を有し、スライダー３を連結具側へスライドすることでスライダー３と連結具２ａ、２ｂとの間の長さが短くなって、耳掛け紐９ａ、９ｂを引っ張ることが出来るようにする。【選択図】図４
0003227472.tif 000002
【実用新案登録請求の範囲】
【請求項１】
マスクを着用した場合に、耳掛け紐が耳の裏側付け根部付近に食い込むことを防止する調整具において、２本の紐の先端には上記耳掛け紐に連結する連結具を設け、そして両紐に沿ってスライド移動するスライダーを取付け、スライダーは所定の位置で停止するように該スライダーと紐の間には適度な大きさの摩擦を有し、上記スライダーを連結具側へスライドすることでスライダーと連結具との間の長さが短くなって、耳掛け紐を引っ張ることが出来るようにしたことを特徴とするマスクを着用する際の耳かけ紐の調整具。
【請求項２】
上記スライダーを概略球体として中心軸に紐穴を貫通し、該紐穴に２本の紐を嵌めた請求項１記載の耳掛け紐の調整具。
【請求項３】
上記スライダーをクリップ形態として２本の紐を挟み込んだ請求項１記載の耳掛け紐の調整具。
【考案の詳細な説明】
【技術分野】
【０００１】
本考案は、マスクを長時間にわたって快適に装着するために使用される耳かけ紐の調整具に関する。
【背景技術】
【０００２】
近年では、花粉やウイルス、粉塵などの有害物質が体内に入ることを防ぐ目的や衛生管理の目的から、マスクを使用する人が増えている。特に最近では、世界的に流行しているコロナウイルスに感染しないように、外出する際には殆どの人はマスクを着用している。  しかし、長時間にわたってマスクを装着すると、耳かけ紐が当たる耳の裏側の付け根付近に食い込んで痛みが生じることがある。また、肌が弱い人においては、耳の裏にかぶれや腫れなどのトラブルが生じることもある。
【０００３】
マスクから耳かけ紐を取外して、適度な長さの耳かけ紐に交換することで、裏側の付け根付近の食い込みは防止され、痛みは解消される。しかし、購入したマスクの耳かけ紐を適度な長さの紐に交換する作業は面倒であり、その為に、耳かけ紐が付け根部に食い込まないように、着用したマスクの耳かけ紐を後方に引っ張ることが出来る調整具が知られている。
【０００４】
実用新案登録第３２０００５０号に係る「マスク保持具」は、マスクの耳かけ紐を容易に装着することができ、また、その装着を安定して維持することが可能である。
すなわち、可撓性を有する樹脂製の帯状体の両端部に樹脂製のクリップ部材が連結されたマスク保持具であって、クリップ部材は、帯状体の端部に固定される支持部と、互いに交差するように噛み合わせられた一対のバネ片によるクリップ本体部とを備える。
クリップ本体部は、支持部によって帯状体の長さ方向に沿う方向と帯面に対して起立する方向との間で回転可能に支持され、長さ方向に沿う方向に合わせられたときに各バネ片が付勢されてそれぞれの先端部が接触し、クリップ本体部が閉じた状態になる。このときクリップ本体部の先端部の隣には、マスクの耳かけ紐を通すことが可能な隙間が生じる。
【０００５】
特開２０１２−１６５１６号に係る「マスクの締め紐長さ調整具及びマスク」は、締め紐をマスク本体に取り付けた後からでも締め紐に取り付けることができ、締め紐の長さを調整する際に締め紐が第１、第２の係止スリットから抜け出にくくなるようにしている。
【０００６】
すなわち、板状の本体部を備え、この本体部に、導入スリットの両端から同一方向へ第１の係止スリット、第２の係止スリットが延びたコ字状スリットと、第１の係止スリットの先端に連通する第１の端部収容孔と、第２の係止スリットの先端に連通する第２の端部収容孔とを設けている。
【特許文献１】実用新案登録第３２０００５０号に係る「マスク保持具」
【特許文献２】特開２０１２−１６５１６号に係る「マスクの締め紐長さ調整具及びマスク」
【考案の開示】
【考案が解決しようとする課題】
【０００７】
このように、マスクを着用する際に耳かけ紐が耳裏の付け根部に食い込まないようにする耳かけ紐の調整具は知られている。しかし、従来の調整具は耳かけ紐に取付けることが面倒である。特に、耳かけ紐を取付けた状態でマスクを着用することは不便であり、その為に、マスクを着用した後で調整具を取付けなくてはならない。そして、マスクを外す場合には該調整具は耳かけ紐から分離される。
本考案が解決しようとする課題はこれら問題点であり、マスクを着用した後であっても、着用前であっても、簡単に取付けることが出来、また、マスクを外した場合には該マスクを首に掛けて保持することが出来る調整具を提供する。
【課題を解決するための手段】
【０００８】
本考案の調整具は、マスクを着用する際の耳かけ紐が、耳の裏側付け根部に食い込むことがないように、該耳かけ紐を後方へ引っ張ることが出来る。
そこで、本考案の耳かけ紐の調整具は、細い紐を有して両先端には連結具を設けている。該紐は２つ折りされて中間部にはスライダーが取付けられ、スライダーの中央に貫通した穴には紐が嵌り、該スライダーは紐に沿ってスライド可能としている。
ここで、穴は適度な大きさとし、その為に穴に嵌った２本の紐に沿ってスライダーは移動するが、適度な摩擦抵抗を発生することが出来る。紐は２つ折りすることなく、２本を対にして使用し、先端に結びを形成することも可能である。
【０００９】
紐の先端に設けた連結具は、マスクの耳かけ紐に係止することが出来る構造としている。具体的な構造は限定しないことにするが、耳かけ紐に係止することが出来るように開口を形成し、開口は開閉可能にする場合もある。
ところで、マスクの両耳かけ紐に各々の連結具が係止して連結され、スライダーが移動することで、両連結具を繋ぐ紐の長さは調整される。
そこで、マスクを着用した状態で、スライダーが紐に沿って連結具側へ移動するならば、耳かけ紐を後方へ引くことが出来、耳裏側への食い込みが阻止される。
【考案の効果】
【００１０】
本考案に係る調整具は、耳かけ紐に連結して取付けられ、スライダーを紐に沿って移動することが出来、両連結具を繋ぐ紐の長さが調整される。その為に、スライダーを両連結具方向へ移動するならば、紐の長さが短くなってマスクの耳かけ紐は後方へ引かれ、耳の裏側付け根部に食い込みが解消される。
該スライダーは貫通した穴に２本の紐が嵌っていることで適度な摩擦が発生し、所定の位置で停止できる。
【００１１】
したがって、マスクを長時間にわたって着用しても、耳付け根部付近に痛みを感じることはない。そして、スライダーを両連結具とは反対の先端側へ移動するならば、両連結具間を繋ぐ紐の長さは大きくなって、調整具を取付けたままでマスクの着脱が可能となる。その為に、マスクを外した場合に該調整具の紐を介して首に掛けることが出来る。
【図面の簡単な説明】
【００１２】
【図１】本考案に係る耳かけ紐の調整具を示す実施例。
【図２】耳掛け紐に連結する連結具の具体例。
【図３】球状スライダーの断面拡大図。
【図４】マスクに調整具を取付けた状態。
【図５】着用したマスクに調整具を取付けた後頭部に状態。
【考案を実施するための形態】
【００１３】
図１は本考案に係るマスク耳かけ紐の調整具を表す実施例であり、同図の１は紐、２ａ，２ｂは連結具、３はスライダーを夫々示している。
上記紐１は柔らかくて湾曲自在に連続し、中間部にて２つ折りされた形態とし、両先端には連結具２ａ，２ｂが取付けられている。そして、２つ折りされた紐１の中間部にはスライダー３が設けられ、該スライダー３を境にして右側では２本の接近し、左側では各々分離して紐１ａ，１ｂに分かれている。
同図に示す紐１は２つ折りしているが、長さが等しい２本の紐１ａ，１ｂを使用して先端部を結んで構成することも出来る。
【００１４】
図２は連結具２を示す具体例であり、同図に示す連結具２はリング状を成し、中心には穴４を設けている。そして、リング状をした連結具２の一部には回動片５が設けられ、外方向へ突出したツマミ６を摘んで操作することで、該ツマミ６と連結している回動片５は回転移動して開口し、上記中心穴４に連通することが出来る。
筒状の連結具２にはコイルバネ（図示なし）が内蔵され、コイルバネのバネ力にて開口した回動片５は元の位置に戻されて閉じることが出来る。
上記紐１ａ，１ｂは該連結具２ａ，２ｂに結ばれて繋がっている。
【００１５】
図３は図１におけるＡ−Ａ断面拡大図を示している。スライダー３は球体を成し、中心軸には紐穴７が貫通し、この紐穴７には２本の紐１ａ，１ｂが挿通している。２本の紐１ａ，１ｂは紐穴７に嵌ることで、多少圧縮されて潰され、同図に示すように概略楕円形の断面を呈している。
スライダー３は紐１ａ，１ｂに沿ってスライドすることが出来るが、紐穴７と紐１ａ，１ｂの間に発生する摩擦によって、該スライダー３は所定の位置で停止することが出来る。
【００１６】
紐１ａ，１ｂの一方側先端は結ばれて、図１に示すような結び８が形成され、その為にスライダー３は紐１ａ，１ｂに沿ってスライドしても、紐穴７から該紐１ａ，１ｂが抜けて離脱しないようにしている。
ところで、本考案の調整具はマスク耳かけ紐に連結して取付けられ、マスクを着用した際に、耳の裏側付け根部付近に耳掛け紐が食い込んで痛みを生じることがないように機能する。
【００１７】
図３に示すスライダー３は球体として中心軸には２本の紐１ａ，１ｂが嵌る紐穴７が貫通しているが、スライダー３の形状は球体に限定するものではない。
例えば、２本の紐１ａ，１ｂを所定の圧力にて挟み込むクリップ形態とすることも出来、クリップ状スライダー３を紐１ａ，１ｂに沿ってスライドすることも出来る。
【００１８】
図４は本考案の調整具をマスク１０に取付けた状態を示している。マスク１０はその両側に耳掛け紐９ａ，９ｂが取付けられ、この耳掛け紐９ａ，９ｂに連結具２ａ，２ｂが連結している。
すなわち、連結具２ａ，２ｂの中心穴４ａ，４ｂに耳掛け紐９ａ，９ｂが嵌って連結されるが、前記図２に連結具２を表しているように、ツマミ６を摘んで回動片５を回動することで形成される開口から耳掛け紐９を穴４に嵌めることが出来る。
【００１９】
同図に示すスライダー３は紐１ａ，１ｂの中間部位に位置しているが、スライドして結び８を有す下端部側に位置されることで、両耳掛け紐９ａ，９ｂから延びる両紐１ａ，１ｂは長くなり、その為にマスク１０を簡単に着用することが出来る。すなわち、調整具をマスク１０に取付けた状態で、マスク１０の着脱が自在である。
図５は着用したマスク１０の耳掛け紐９ａ，９ｂに調整具を取付けた場合の、後頭部を表している。
【００２０】
スライダー３をスライドして上方へ持ち上げるならば、該スライダー３から両方へ延びる紐１ａ，１ｂは引っ張られてほぼ水平となり、耳掛け紐９ａ，９ｂは後方へ引っ張られる。
したがって、耳１１ａ，１１ｂの裏側付け根部付近に接している耳掛け紐９ａ，９ｂは耳付け根部から離れて食い込みは阻止され、耳付け根部付近の痛みは解消される。該スライダー３を移動して両紐１ａ，１ｂが短くなれば、耳掛け紐９ａ，９ｂはより後方へ引かれる。
【００２１】
一方、スライダー３を押し下げて先端結び８の付近へスライドするならば、両側の紐１ａ，１ｂは長くなって傾斜し、その為に、調整具を外すことなくマスク１０を取外すことが出来る。逆に、調整具をマスク１０に取付けたままの状態で該マスク１０を着用することが出来る。
本考案では、調整具を取付けたままの状態でマスク１を着用し、また、取外すことが出来ることから、顔から取り外したマスク１０は該調整具を首に掛けた状態でマスク１０を吊下げることが可能となる。その為に、一時的にマスク１０を外す際には便利である。
【符号の説明】
【００２２】
１   紐
２   連結具
３   スライダー
４   穴
５   回動片
６   ツマミ
７   紐穴
８   結び
９   耳掛け紐
10   マスク
11   耳
【図１】
0003227472.tif 000003
【図２】
0003227472.tif 000004
【図３】
0003227472.tif 000005
【図４】
0003227472.tif 000006
【図５】
0003227472.tif 000007